(57)【要約】【課題】本発明は、揺動プレートが引き戸の端部でレールに係合しない場合であっても、引き戸の移動の過程でレールと係合することが可能な振れ止め装置の提供を目的とする。【解決手段】本発明の振れ止め装置１は、台座２および揺動プレート３を有する床面側装置４と、揺動プレート３と係合するレール５とを備え、レール５は、レール５の上面５ａ側に磁性板５１を有し、レール５の下端において一対の突設部５ｄ、５ｅを有し、揺動プレート３は、磁石３１と、揺動プレート３の側縁３ａ、３ｂから厚さ方向Ｄ３に突出する一対の係合部３２ａ、３２ｂとを有し、一対の係合部３２ａ、３２ｂの先端の間の長さＬ１が、レール５の開口ＯＰの厚さ方向Ｄ３での幅Ｌ２よりも短い。【選択図】図４
0003226716.tif 000002
【実用新案登録請求の範囲】
【請求項１】
摺動自在に吊り下げられた少なくとも１枚の戸板を備えた引き戸の振れを防止するための振れ止め装置であって、
床面に取り付けられた台座、および、前記台座に対して上下方向に揺動可能に取り付けられた揺動プレートを有する床面側装置と、
前記戸板の下端面において、前記戸板の移動方向に沿って取り付けられ、前記戸板の振れを規制できるように、前記揺動プレートと係合するレールと
を備え、
前記レールは、
前記移動方向に垂直な断面において、下方に開口を有する略Ｃ字状部分を有し、
前記レールの内面のうち上面側に、前記移動方向に沿って延びる、磁性板を有し、
前記レールの下端において、前記戸板の厚さ方向で互いに近付くように延びるとともに、前記移動方向に沿って延びる、一対の突設部を有し、
前記揺動プレートは、
前記レールの前記磁性板に吸着可能な磁石と、
前記揺動プレートの先端部において、前記揺動プレートの両側縁から前記戸板の厚さ方向に突出する一対の係合部と
を有し、
前記戸板の厚さ方向で前記一対の係合部の先端の間の長さＬ１が、前記一対の突設部の先端によって画定される前記レールの前記開口の、前記戸板の厚さ方向での幅Ｌ２よりも短い、振れ止め装置。
【請求項２】
前記揺動プレートが、前記磁石を覆う樹脂製のカバー部材を有し、
前記磁性板の前記カバー部材と当接する面に、前記カバー部材と前記磁性板との間の摺動抵抗を低減する滑材層を有している、請求項１に記載の振れ止め装置。
【請求項３】
前記揺動プレートが、前記台座に揺動可能に設けられた金属製プレートを備え、
前記カバー部材は、前記磁石が収容される凹部と、前記金属製プレートを差し込み可能であり、前記揺動プレートの基端側から先端側に向かって延びる空間とを有し、
前記磁石は、前記凹部に収容された状態で、前記空間に挿入された前記金属製プレートによって前記凹部からの離脱が防止されている、請求項２に記載の振れ止め装置。
【請求項４】
前記カバー部材は、前記戸板の下端面に対向する表面と、前記床面に対向する裏面とを有し、前記裏面は、前記金属製プレートが前記空間に差し込まれていない状態で、前記裏面側から前記凹部に磁石を収容することが可能な窓部を有している、請求項３に記載の振れ止め装置。
【請求項５】
床面に取り付けられた台座、および、前記台座に対して上下方向に揺動可能に取り付けられた揺動プレートを有する床面側装置の、前記揺動プレートと係合するレールを備えた戸板であって、
前記揺動プレートは、磁石と、前記磁石を覆う樹脂製のカバー部材とを有し、
前記レールは、前記戸板の下端面において、前記戸板の移動方向に沿って取り付けられ、前記戸板の振れを規制できるように、前記揺動プレートと係合し、
前記レールは、前記移動方向に沿って延びる磁性板を有し、
前記磁性板の前記カバー部材と当接する面に、前記カバー部材と前記磁性板との間の摺動抵抗を低減する滑材層を有している、戸板。
【考案の詳細な説明】
【技術分野】
【０００１】
本考案は、振れ止め装置および戸板に関する。
【背景技術】
【０００２】
天井などに設けられたレールに引き戸を吊り下げ、引き戸を床からわずかに離間した状態で摺動させる吊り下げ式の引き戸が使用されている。吊り下げ式引き戸では、引き戸の下端が拘束されていないため、引き戸が振れ動くのを防止する振れ止め装置が必要である。
【０００３】
このような振れ止め装置の一例として、特許文献１には、台座と、台座に上下方向に移動自在に取り付けられ、磁性体からなる揺動プレートであって、先端部に揺動プレートの長手方向と略垂直方向に延びる係合部が突設された揺動プレートと、揺動プレートの係合部と係合するとともに係合部を戸板の下端縁に沿って案内するレールと、戸板の下端縁で、かつレールの端部に連結された、揺動プレートの係合部をレールに係合する位置へ案内する端部ガイドと、端部ガイドに近接した位置に配置され、揺動プレートを端部ガイドへ向かって吸引する磁石とからなる振れ止め装置が記載されている。
【先行技術文献】
【特許文献】
【０００４】
【特許文献１】特開２００５−１５５３０９号公報
【考案の概要】
【考案が解決しようとする課題】
【０００５】
この振れ止め装置では、戸板の下端の端部に設けられた端部ガイドに吸着された揺動プレートが、レール内へ案内されることで、揺動プレートの係合部がレールに係合し、引き戸の振れ止めがなされる。しかし、例えば、引き戸が大きく振れた状態で、戸板の端部ガイドが揺動プレートの上方に位置した場合、揺動プレートの係合部が端部ガイドに案内されず、レール内に入らない場合がある。揺動プレートの係合部がレール内に入らずにレールと係合しない場合、揺動プレートの係合部は、引き戸の移動の過程でレールと係合することができず、引き戸の振れは揺動プレートによって規制されない。したがって、引き戸の振れが規制されない状態で引き戸が開閉されたり、停止した引き戸に人が当たって引き戸が大きく振れてしまったりする可能性がある。
【０００６】
そこで、本考案は、揺動プレートが引き戸の端部でレールに係合しない場合であっても、引き戸の移動の過程でレールと係合し、安定して引き戸の振れを規制することが可能な振れ止め装置の提供を目的とする。
【課題を解決するための手段】
【０００７】
本考案の振れ止め装置は、摺動自在に吊り下げられた少なくとも１枚の戸板を備えた引き戸の振れを防止するための振れ止め装置であって、床面に取り付けられた台座、および、前記台座に対して上下方向に揺動可能に取り付けられた揺動プレートを有する床面側装置と、前記戸板の下端面において、前記戸板の移動方向に沿って取り付けられ、前記戸板の振れを規制できるように、前記揺動プレートと係合するレールとを備え、前記レールは、前記移動方向に垂直な断面において、下方に開口を有する略Ｃ字状部分を有し、前記レールの内面のうち上面側に、前記移動方向に沿って延びる、磁性板を有し、前記レールの下端において、前記戸板の厚さ方向で互いに近付くように延びるとともに、前記移動方向に沿って延びる、一対の突設部を有し、前記揺動プレートは、前記レールの前記磁性板に吸着可能な磁石と、前記揺動プレートの先端部において、前記揺動プレートの両側縁から前記戸板の厚さ方向に突出する一対の係合部とを有し、前記戸板の厚さ方向で前記一対の係合部の先端の間の長さＬ１が、前記一対の突設部の先端によって画定される前記レールの前記開口の、前記戸板の厚さ方向での幅Ｌ２よりも短い。
【０００８】
また、前記揺動プレートが、前記磁石を覆う樹脂製のカバー部材を有し、前記磁性板の前記カバー部材と当接する面に、前記カバー部材と前記磁性板との間の摺動抵抗を低減する滑材層を有していることが好ましい。
【０００９】
また、前記揺動プレートが、前記台座に揺動可能に設けられた金属製プレートを備え、前記カバー部材は、前記磁石が収容される凹部と、前記金属製プレートを差し込み可能であり、前記揺動プレートの基端側から先端側に向かって延びる空間とを有し、前記磁石は、前記凹部に収容された状態で、前記空間に挿入された前記金属製プレートによって前記凹部からの離脱が防止されていることが好ましい。
【００１０】
また、前記カバー部材は、前記戸板の下端面に対向する表面と、前記床面に対向する裏面とを有し、前記裏面は、前記金属製プレートが前記空間に差し込まれていない状態で、前記裏面側から前記凹部に磁石を収容することが可能な窓部を有していることが好ましい。
【００１１】
また、本発明の戸板は、床面に取り付けられた台座、および、前記台座に対して上下方向に揺動可能に取り付けられた揺動プレートを有する床面側装置の、前記揺動プレートと係合するレールを備えた戸板であって、前記揺動プレートは、磁石と、前記磁石を覆う樹脂製のカバー部材とを有し、前記レールは、前記戸板の下端面において、前記戸板の移動方向に沿って取り付けられ、前記戸板の振れを規制できるように、前記揺動プレートと係合し、前記レールは、前記移動方向に沿って延びる磁性板を有し、前記磁性板の前記カバー部材と当接する面に、前記カバー部材と前記磁性板との間の摺動抵抗を低減する滑材層を有している。
【考案の効果】
【００１２】
本考案の振れ止め装置によれば、揺動プレートが引き戸の端部でレールに係合しない場合であっても、引き戸の移動の過程でレールと係合し、安定して引き戸の振れを規制することができる。
【図面の簡単な説明】
【００１３】
【図１】本発明の一実施形態の振れ止め装置が設けられた吊り下げ式引き戸の一例を示す概略平面図である。
【図２】図１の吊下げ式引き戸の概略正面図である。
【図３】図１の引き戸の下端において、戸板の移動方向に垂直な切断面において戸板が切断された部分断面図である。
【図４】図３に示される断面において、戸板を移動方向に見た部分断面図である。
【図５】図３に示される揺動プレートの側面図である。
【図６】揺動プレートの金属製プレートを示す上面図である。
【図７】（Ａ）は、揺動プレートのカバー部材の上面図であり、（Ｂ）は、カバー部材の側面図であり、（Ｃ）は、カバー部材の底面図である。
【図８】（Ａ）は、戸板の下端面が床面側装置の上方に差し掛かる前の状態を示す図であり、（Ｂ）は、戸板の下端面が床面側装置の上方に差し掛かり、揺動プレートが揺動した状態を示す図であり、（Ｃ）は、（Ｂ）の状態からさらに戸板が移動した状態を示す図である。
【図９】（Ａ）は、戸板の下端面が床面側装置の上方に差し掛かっているが、揺動プレートがレールに係合していない状態を示す戸板の正面図であり、（Ｂ）は、（Ａ）の状態のときの、レールと揺動プレートとの間の係合状態を示す図である。
【図１０】（Ａ）は、図９（Ａ）の状態から揺動プレートが係合した状態を示す戸板の正面図であり、（Ｂ）は、図９（Ｂ）の状態から戸板の振れが収まって、揺動プレートがレールに係合可能な状態となっていることを示す図である。
【考案を実施するための形態】
【００１４】
以下、図面を参照し、本考案の振れ止め装置を説明する。なお、以下の実施形態はあくまで一例であり、本考案の振れ止め装置は以下の実施形態に限定されるものではない。
【００１５】
図１および図２には、本発明の振れ止め装置１が適用される吊り下げ式の引き戸の一例が示されている。図１および図２においては、大きな部屋の間仕切りなどに用いられる、いわゆる４枚引きの引き戸が示されている。図１および図２においては、一対の柱Ｐの間に４枚の戸板Ｓ１〜Ｓ４が設けられているが、振れ止め装置１が適用される引き戸の構成は図示する構成に限定されない。また、戸板Ｓ１〜Ｓ４の数や、戸板Ｓ１〜Ｓ４の配列の仕方などは特に限定されない。なお、以下では、戸板Ｓ１〜Ｓ４をまとめて単に戸板Ｓと呼ぶ。
【００１６】
本実施形態の吊り下げ式引き戸では、戸板Ｓが部屋の天井または鴨居などに設けられたレール（図示せず）に対してローラなどを介して摺動自在に吊り下げられている。この戸板Ｓの下端面および床面Ｆ（図２参照）において、本実施形態の振れ止め装置１が設けられている。なお、本明細書において、戸板Ｓが移動する方向（図１および図２における左右方向）を、戸板Ｓの移動方向Ｄ１と呼ぶ。また、床面Ｆに対して垂直な方向（図２における上下方向）を、戸板Ｓの上下方向Ｄ２と呼ぶ。また、戸板Ｓの移動方向Ｄ１および上下方向Ｄ２の両方に垂直な方向を、戸板Ｓの厚さ方向Ｄ３と呼ぶ。
【００１７】
本実施形態の振れ止め装置１は、戸板Ｓを備えた引き戸の振れを防止する。引き戸の「振れ」は、戸板Ｓの厚さ方向Ｄ３での振れをいう。具体的には、戸板Ｓの下端が戸板Ｓの上端を支点として厚さ方向Ｄ３に振れる（下端が図１において上下に振れる）ことをいう。
【００１８】
図３および図４に示されるように、振れ止め装置１は、床面Ｆに取り付けられた台座２、および、台座２に対して上下方向Ｄ２に揺動可能に取り付けられた揺動プレート３を有する床面側装置４と、戸板Ｓの下端面において、戸板Ｓの移動方向Ｄ１に沿って取り付けられ、戸板Ｓの振れを規制できるように、揺動プレート３と係合するレール５とを備えている。
【００１９】
床面側装置４は、床面Ｆに取り付けられる。床面側装置４は、図１および図２に示されるように、戸板Ｓの移動軌跡上の所定の位置に設けられる。なお、床面側装置４の設置位置は図示する位置に限定されない。床面側装置４は、図３に示されるように、台座２および揺動プレート３を有している。
【００２０】
台座２は、床面側装置４を床面Ｆに取り付け、揺動プレート３を揺動可能に支持する部位である。台座２は、本実施形態では、図３および図４に示されるように、床面Ｆからの突出量を抑えるために、薄型のプレート状に形成され、周縁へ向かうにつれて厚さが薄くなる形状を呈している。したがって、台座２が床面Ｆに取り付けられたときに、台座２が床面Ｆからそれほど突出しておらず、人や台車の通行の妨げにならない。また、台座２が薄型であるため、台座２を床面Ｆに取り付けるときに、床面Ｆに穴をあけて台座２を埋設する必要がない。台座２の床面Ｆへの取付方法は特に限定されないが、本実施形態では、台座２はねじによって床面Ｆに取り付けられている。
【００２１】
台座２は、図３に示されるように、台座２の中央部に、揺動プレート３を収容可能な凹部２１を有している。台座２は、揺動プレート３が下方に位置している場合に、揺動プレート３が台座２の上端とほぼ同様の高さに形成されていることが好ましい。また、台座２は、揺動プレート３を揺動可能に支持する軸支部２２（図５参照）を有している。軸支部２２は、揺動プレート３の軸部ＭＰ１が厚さ方向Ｄ３に延びる回転軸周りに回転できるように、揺動プレート３を軸支している。なお、台座２の材料は特に限定されないが、後述する揺動プレート３の磁石３１に影響を与えないように、非磁性金属や合成樹脂などによって形成されることが好ましい。
【００２２】
揺動プレート３は、床面Ｆに対して揺動可能に台座２に取り付けられている。後述するように、戸板Ｓの下端面が揺動プレート３に上下方向Ｄ２で対向する位置に移動したときに、揺動プレート３が戸板Ｓの下端面に向かって上方に揺動するように構成されている（図３参照）。揺動プレート３の詳細については後述する。
【００２３】
レール５は、揺動プレート３と係合することによって、戸板Ｓの振れを規制する。レール５は、図３に示されるように、移動方向Ｄ１に沿って延びる内部に空洞を有する長尺体であり、それぞれの戸板Ｓの下端面に形成された溝Ｇに埋設されている。なお、レール５は、戸板Ｓの下端面に配置されていればよく、溝Ｇに埋設されるものに限定されない。
【００２４】
レール５は、本実施形態では、図２に示されるように、戸板Ｓの下端面のうち、移動方向Ｄ１で両端の所定領域を除いて戸板Ｓの移動方向Ｄ１に設けられている。しかし、レール５は、戸板Ｓの移動方向Ｄ１で全体に設けられていてもよい。
【００２５】
レール５は、図３および図４に示されるように、移動方向Ｄ１に垂直な断面において、下方に開口ＯＰを有する略Ｃ字状部分を有している。なお、本明細書において、「略Ｃ字状」という表現は、レール５の形状について、厳密なＣ字形状のみをいうものではなく、レール５が、レール５の内面または外面にわずかに突出した部分や凹んだ部分を有していてもよいということを意図している。また、レール５は、略Ｃ字状部分を有していれば、略Ｃ字状部分に加えて、別の部位を有していてもよい。本実施形態では、レール５は、図３および図４に示されるように、レール５の上部側に位置する上面５ａと、上面５ａに対して下方に延びる一対の側面５ｂ、５ｃと、後述する突設部５ｄ、５ｅとを有し、上面５ａ、側面５ｂ、５ｃ、および、突設部５ｄ、５ｅにより、略Ｃ字状に形成されている。なお、レール５の材料は特に限定されないが、本実施形態では、レール５（磁性板５１を除いた略Ｃ字状部分）は合成樹脂によって形成されている。
【００２６】
レール５は、図３および図４に示されるように、レール５の内面のうち上面５ａ側に、移動方向Ｄ１に沿って延びる、磁性板５１を有している。磁性板５１は、後述する磁石３１を有する揺動プレート３を上側に向かって引き付けるために設けられている。磁性板５１は、鉄などの磁性材料によって構成された薄板状の部材によって構成されている。磁性板５１の形状は特に限定されないが、本実施形態では、細長い矩形板状に形成されている。
【００２７】
磁性板５１は、レール５の上面５ａ側において、一面が床面Ｆと対向するようにレール５に固定されている。本実施形態では、レール５は、図４に示されるように、一対の側面５ｂ、５ｃから厚さ方向Ｄ３で内側に向かって突出する保持突起５２ａ、５２ｂを有し、磁性板５１は、保持突起５２ａ、５２ｂに支持されている。磁性板５１は、（上下方向Ｄ２での）厚さが、レール５の上面５ａと保持突起５２ａ、５２ｂとの間の間隔よりも小さく、磁性板５１の（厚さ方向Ｄ３での）幅が、一対の側面５ｂ、５ｃの間隔よりも小さく、かつ、保持突起５２ａ、５２ｂの先端間の厚さ方向Ｄ３での間隔よりも大きくなるように構成されている。これにより、磁性板５１をレール５の長さ方向（移動方向Ｄ１）の端部から挿入して、磁性板５１をレール５に容易に取り付けることができ、磁性板５１の下方への落下も抑制することができる。
【００２８】
また、レール５は、図３および図４に示されるように、レール５の下端において、戸板Ｓの厚さ方向Ｄ３で互いに近付くように延びるとともに、移動方向Ｄ１に沿って延びる、一対の突設部５ｄ、５ｅを有している。突設部５ｄ、５ｅは、揺動プレート３の係合部３２ａ、３２ｂと上下方向Ｄ２で係合して、揺動プレート３がレール５の磁性板５１に吸着された位置にあるときに、衝撃など、何らかの要因によって、揺動プレート３が下方へ下りてしまうことを抑制する。
【００２９】
突設部５ｄ、５ｅは、本実施形態では、図４に示されるように、水平に延びる上面を有している。より具体的には、突設部５ｄ、５ｅは、移動方向Ｄ１に連続して延びる矩形板状に突出した部位である。突設部５ｄ、５ｅの厚さ方向Ｄ３での突出量は特に限定されないが、例えば、図４に示されるように、係合部３２ａ、３２ｂが揺動プレート３の側縁３ａ、３ｂから突出する突出量よりも大きいことが好ましい。一対の突設部５ｄ、５ｅは、厚さ方向Ｄ３に離間して設けられ、突設部５ｄ、５ｅの先端の間には、開口ＯＰが形成されている。後述するように、この開口ＯＰから揺動プレート３の先端部がレール５の内側に入って、レール５の磁性板５１と揺動プレート３の磁石３１とが互いに吸着し合って、戸板Ｓの振れ止めがなされる。
【００３０】
つぎに、揺動プレート３の詳細について説明する。揺動プレート３は、図３〜図５に示されるように、レール５の磁性板５１に吸着可能な磁石３１と、揺動プレート３の先端部において、揺動プレート３の両側縁３ａ、３ｂから戸板Ｓの厚さ方向Ｄ３に突出する一対の係合部３２ａ、３２ｂとを有している。
【００３１】
揺動プレート３は、本実施形態では、回転軸が厚さ方向Ｄ３に延びるように、軸部ＭＰ１を介して台座２に取り付けられている。揺動プレート３は、揺動プレート３の回転軸に対して垂直な方向に延びている。床面側装置４は、揺動プレート３の延在方向（長手方向）が、戸板Ｓの移動方向Ｄ１に沿うように、床面Ｆに取り付けられている。
【００３２】
詳細は後述するが、図８（Ａ）〜図８（Ｃ）に示されるように、揺動プレート３の上方に戸板Ｓの下端面が位置すると、揺動プレート３の磁石３１が戸板Ｓのレール５に設けられた磁性板５１に吸着され、揺動プレート３が上側に揺動する。これにより、揺動プレート３の側縁３ａ、３ｂが突設部５ｄ、５ｅの先端と厚さ方向Ｄ３で当接可能となり、戸板Ｓの厚さ方向Ｄ３での振れが抑制される。
【００３３】
磁石３１は、レール５の磁性板５１に吸着されることにより、揺動プレート３を上側に引き上げる。揺動プレート３に磁石３１が設けられている場合、レール５側に磁石が設けられる場合（例えば、磁性板５１の位置に磁石によって構成された薄板が設けられている場合）と比較して、磁石を設ける領域を大幅に小さくすることができ、振れ止め装置１を低コストに製造することができる。磁石３１は、本実施形態では、矩形板状に形成されているが、磁石３１の形状や大きさは、レール５の磁性板５１に吸着可能であれば、特に限定されない。
【００３４】
係合部３２ａ、３２ｂは、突設部５ｄ、５ｅと係合して、揺動プレート３が磁性板５１に吸着された後、下方に落下することを抑制する。本実施形態では、係合部３２ａ、３２ｂは揺動プレート３の側縁３ａ、３ｂから厚さ方向Ｄ３に突出している。より具体的には、揺動プレート３の側縁３ａ、３ｂのうち、揺動プレート３が磁性板５１に吸着されて上側に揺動した位置にあるときに一対の突設部５ｄ、５ｅの間に位置する部位に対して、係合部３２ａ、３２ｂは、厚さ方向Ｄ３に突出している。本実施形態では、係合部３２ａ、３２ｂは、略円柱状に形成されているが、係合部３２ａ、３２ｂの形状は、突設部５ｄ、５ｅと上下方向Ｄ２で係合することができれば、特に限定されない。
【００３５】
揺動プレート３の構造は、磁石３１および係合部３２ａ、３２ｂを有していれば特に限定されない。本実施形態では、揺動プレート３は、図５〜図７（Ｃ）に示されるように、二部材で構成されている。具体的には、揺動プレート３は、台座２に揺動可能に設けられた金属製プレートＭＰと、磁石３１を覆う樹脂製のカバー部材Ｃとを備えている。
【００３６】
金属製プレートＭＰは、台座２に回転可能に支持された、揺動プレート３の骨格となる部分である。金属製プレートＭＰは、図６（Ａ）および（Ｂ）に示されるように、台座２の軸支部２２に軸支される軸部ＭＰ１と、矩形状の平板部ＭＰ２とを有している。金属製プレートＭＰは、剛性を有する材料であれば特に限定されないが、例えば鉄等の磁性材料によって形成されることが好ましい。
【００３７】
カバー部材Ｃは、揺動プレート３の磁石３１が磁性板５１に吸着されたときに、磁石３１が磁性板５１に直接接触しないように、磁石３１をカバーする樹脂製のカバーである。これにより、磁石３１が磁性板５１と衝突して磁石３１が破損することを抑制するとともに、衝突時の異音を軽減することができる。また、本実施形態のように、揺動プレート３が、金属製プレートＭＰと樹脂製のカバー部材Ｃとを備えている場合、カバー部材Ｃによって、磁性板５１とカバー部材Ｃとの間の接触時の異音を抑制し、かつ金属製プレートＭＰによって揺動プレート３の剛性を確保することができ、揺動プレート３の寿命を長期化することができる。
【００３８】
カバー部材Ｃは、本実施形態では、図５、図７（Ａ）〜（Ｃ）に示されるように、磁石３１が収容される凹部Ｃ１と、金属製プレートＭＰを差し込み可能であり、揺動プレート３の基端側（揺動プレート３の軸部ＭＰ１に近い側）から先端側（基端側の反対側）に向かって延びる空間Ｃ２を有している。空間Ｃ２は、金属製プレートＭＰを揺動プレート３の長手方向（移動方向Ｄ１に沿った方向）に挿入できるように、揺動プレート３の長手方向に形成されている。より具体的には、カバー部材Ｃは、カバー部材Ｃの基端側に挿入開口Ｃ２１を有し、金属製プレートＭＰの先端を挿入開口Ｃ２１に挿入することによって、組み付けが可能となっている。なお、本実施形態では、空間Ｃ２はカバー部材Ｃを長手方向に貫通するように形成されている。凹部Ｃ１は、図５および図７（Ｂ）に示されているように、磁性板５１と対向するカバー部材Ｃの表面Ｃａと金属製プレートＭＰとの間に形成されている。これにより、凹部Ｃ１に磁石３１が配置されたときに、磁石３１が外部に露出せず、かつ、磁石３１は、凹部Ｃ１に収容された状態で、空間Ｃ２に挿入された金属製プレートＭＰによって凹部Ｃ１からの離脱が防止される。
【００３９】
また、本実施形態では、カバー部材Ｃは、図５および図７（Ａ）〜（Ｃ）に示されるように、戸板Ｓの下端面に対向する表面Ｃａと、床面Ｆに対向する裏面Ｃｂとを有し、裏面Ｃｂは、金属製プレートＭＰが空間Ｃ２に差し込まれていない状態で、裏面Ｃｂ側から凹部Ｃ１に磁石３１を収容することが可能な窓部Ｃｂ１を有している。これにより、磁石３１を窓部Ｃｂ１から揺動プレート３に容易に組み付けることができ、複数部材から構成される揺動プレート３の組み付け性を向上することができる。
【００４０】
次に、本実施形態の揺動プレート３の係合部３２ａ、３２ｂと、レール５の突設部５ｄ、５ｅとの間の関係について説明する。図４に示されるように、戸板Ｓの厚さ方向Ｄ３で一対の係合部３２ａ、３２ｂの先端の間の長さＬ１は、一対の突設部５ｄ、５ｅの先端によって画定されるレール５の開口ＯＰの、戸板Ｓの厚さ方向Ｄ３での幅Ｌ２よりも短くなるように構成されている（Ｌ１＜Ｌ２）。なお、長さＬ１と幅Ｌ２との間の差（Ｌ２−Ｌ１）は特に限定されないが、例えば、１．０〜２．０ｍｍとすることができる。この場合、揺動プレート３が空間ＯＰ内に入りやすく、かつ、係合部３２ａ、３２ｂと突設部５ｄ、５ｅとの間の係合が容易に解除されない。
【００４１】
上述したように、一対の係合部３２ａ、３２ｂの先端の間の長さＬ１が、開口ＯＰの幅Ｌ２よりも短いことにより、例えば戸板Ｓが大きく振れて、戸板Ｓの下端面が揺動プレート３の上方に差し掛かったときに、揺動プレート３の係合部３２ａ、３２ｂが上方から突設部５ｄ、５ｅに係合できなかった場合（図９（Ｂ）参照）であっても、戸板Ｓの移動の過程で、係合部３２ａ、３２ｂが突設部５ｄ、５ｅに係合することができる。以下、この点について、図８〜図１０を参照して説明する。
【００４２】
通常、図８（Ａ）〜（Ｃ）に示されるように、戸板Ｓが厚さ方向Ｄ３に振れることなく、戸板Ｓの下端面が揺動プレート３の上方に差し掛かった場合は、揺動プレート３の磁石３１がレール５１の磁性板５１に吸着される。このとき、図４に示されるように、揺動プレート３の先端が磁性板５１と接触し、係合部３２ａ、３２ｂは、突設部５ｄ、５ｅよりも上方の位置に位置している。この際に、戸板Ｓが振れると、図４の状態から戸板Ｓが左または右に移動する。このとき、戸板Ｓの振れとともに、突設部５ｄ、５ｅの先端が揺動プレート３の側縁３ａまたは３ｂに当接して、戸板Ｓの所定以上の振れが規制される。そして、人が戸板Ｓに接触したりして、揺動プレート３の側縁３ａ、３ｂと突設部５ｄ、５ｅの先端とが当接したときの衝撃などで、揺動プレート３が下方に落下しようとするときには、係合部３２ａ、３２ｂの下端と突設部５ｄ、５ｅの上面とが当接して、揺動プレート３の下方への落下が規制される。
【００４３】
一方、図９（Ａ）および（Ｂ）に示されるように、例えば、戸板Ｓが厚さ方向Ｄ３で一方の方向に所定量以上振れた状態で、戸板Ｓの下端面が揺動プレート３の上方に差し掛かった場合、揺動プレート３の磁石３１はレール５の磁性板５１に向かって吸着されるが、戸板Ｓの移動方向Ｄ１の端部Ｅにおいては、レール５と揺動プレート３とが係合できないことがある。しかし、厚さ方向Ｄ３に振れた戸板Ｓは、戸板Ｓの上端を支点に振り子のように移動するので、戸板Ｓの移動方向Ｄ１での移動の過程で、揺動プレート３の真上に位置するタイミングがある（図４または図１０（Ｂ）に示す状態）。このときに、図１０（Ｂ）に二点鎖線で示されるように、揺動プレート３が開口ＯＰを通過して、揺動プレート３の先端が磁性板５１と接触する。これにより、揺動プレート３の係合部３２ａ、３２ｂが突設部５ｄ、５ｅよりも上方に移動して、係合部３２ａ、３２ｂが突設部５ｄ、５ｅと係合可能となる。したがって、戸板Ｓの端部Ｅにおいて、揺動プレート３がレール５に係合しない場合であっても、戸板Ｓの移動の過程でレールと係合して、戸板Ｓの振れを規制することができる。
【００４４】
また、上述したように、本実施形態では、揺動プレート３が、磁石３１を覆う樹脂製のカバー部材Ｃを有している。このような樹脂製のカバー部材Ｃを有している場合、カバー部材Ｃが磁性板５１と接触した状態で摺動するため、カバー部材Ｃが摩耗して揺動プレート３の寿命が短くなる可能性がある。そのような問題を解決するために、例えば、磁性板５１のカバー部材Ｃと当接する面に、カバー部材Ｃと磁性板５１との間の摺動抵抗を低減する滑材層を有していてもよい。この場合、カバー部材Ｃと磁性板５１との間での摩擦が小さくなり、カバー部材Ｃの摩耗を大きく低減することができる。したがって、揺動プレート３の寿命を長くすることができる。なお、滑材層は、摩擦力を低減することができるものであれば特に限定されないが、例えば、磁性板にテフロン（登録商標）加工や潤滑塗料を焼付塗装することによって形成することができる。
【符号の説明】
【００４５】
１  振れ止め装置
２  台座
２１  凹部
２２  軸支部
３  揺動プレート
３ａ、３ｂ  揺動プレートの側縁
３１  磁石
３２ａ、３２ｂ  係合部
４  床面側装置
５  レール
５ａ  上面
５ｂ、５ｃ  側面
５ｄ、５ｅ  突設部
５１  磁性板
５２ａ、５２ｂ  保持突起
Ｃ  カバー部材
Ｃａ  カバー部材の表面
Ｃｂ  カバー部材の裏面
Ｃｂ１  窓部
Ｃ１  凹部
Ｃ２  空間
Ｃ２１  挿入開口
Ｄ１  戸板の移動方向
Ｄ２  戸板の上下方向
Ｄ３  戸板の厚さ方向
Ｅ  戸板の端部
Ｆ  床面
Ｇ  溝
Ｌ１  一対の係合部の先端の間の長さ
Ｌ２  レールの開口の厚さ方向での幅
ＭＰ  金属製プレート
ＭＰ１  軸部
ＭＰ２  平板部
ＯＰ  開口
Ｐ  柱
Ｓ、Ｓ１〜Ｓ４  戸板
【図１】
0003226716.tif 000003
【図２】
0003226716.tif 000004
【図３】
0003226716.tif 000005
【図４】
0003226716.tif 000006
【図５】
0003226716.tif 000007
【図６】
0003226716.tif 000008
【図７】
0003226716.tif 000009
【図８】
0003226716.tif 000010
【図９】
0003226716.tif 000011
【図１０】
0003226716.tif 000012